(57)【要約】【課題】原稿ガイドの位置を３個の検知素子を用いて検知する場合に、原稿ガイドの位置を最大で２3個よりも多く識別可能な位置検知の仕組みを提供する。【解決手段】互いに隣り合う第１領域、第２領域および第３領域に区分された移動範囲を移動する原稿ガイド６１の位置を、原稿態度６１と一体化された作動部材５２の移動によってオンオフの状態が変化する３個の検知センサ５４を用いて識別する制御部９０を備える。検知センサ５４−１は、原稿ガイド６１が第１領域と第３領域に存在するときには共にオフ信号を出力し、原稿ガイド６１が第２領域に存在するときにはオン信号を出力するように配置されている。検知センサ５４−２は、原稿ガイド６１が第１領域と第２領域の境界部に位置するときにはオン信号を出力し、原稿ガイド６１が第２領域と第３領域の境界部に位置するときにはオフ信号を出力するように配置されている。【選択図】図３
2011055324.tif 000002
【特許請求の範囲】
【請求項１】
第１領域と、当該第１領域に隣り合う第２領域と、前記第１領域と反対側で前記第２領域に隣り合う第３領域とに区分された移動範囲を移動する移動体と、
前記移動体の移動方向で互いに異なる位置に配置された、少なくとも第１検知素子と第２検知素子を含むＮ個（Ｎは２以上の整数）の検知素子と、
前記Ｎ個の検知素子の位置に対応して設けられた複数個の作動部を有し、前記移動体の移動にしたがって移動することにより、前記Ｎ個の検知素子が出力する検知信号の出力形態の種別を、前記複数個の作動部を利用して２N個に変化させる作動部材と、
前記Ｎ個の検知素子が出力する検知信号に基づいて、前記移動体の位置を識別する識別手段とを備え、
前記第１検知素子は、前記移動体が前記第１領域に存在するときと前記第３領域に存在するときには同じ出力形態の検知信号を出力し、前記移動体が前記第１領域又は前記第３領域に存在するときと前記第２領域に存在するときには異なる出力形態の検知信号を出力するように配置され、
前記第２検知素子は、前記移動体が前記第１領域と前記第２領域の境界部に位置するときには第１の出力形態の検知信号を出力し、前記移動体が前記第２領域と前記第３領域の境界部に位置するときには前記第１の出力形態と異なる第２の出力形態の検知信号を出力するように配置されている
移動体の位置検出装置。
【請求項２】
前記識別手段は、前記第１検知素子が出力する検知信号の出力形態が変化したときに、前記第２検知信号が出力する検知信号の出力形態が前記第１の出力形態であるか前記第２の出力形態であるかによって、前記移動体が前記第１領域、前記第２領域および前記第３領域のうちのいずれの領域に移動したかを特定し、該特定した領域内で、前記Ｎ個の検知素子が出力する検知信号の出力形態の種別を基に前記移動体の位置を識別する
請求項１記載の移動体の位置検出装置。
【請求項３】
前記識別手段は、自装置の電源が投入されたときに、前記第１検知素子が出力する検知信号の出力形態に基づいて前記移動体が前記第２領域以外の領域に存在すると特定した場合は、その後、前記第１検知素子が出力する検知信号の出力形態が変化した段階で、前記移動体が前記第１領域又は前記第３領域から前記第２領域に移動したと判断する
請求項１又は２記載の移動体の位置検出装置。
【請求項４】
原稿が置かれる原稿置き部と、
前記原稿置き部に置かれた原稿を原稿幅方向で位置決めするとともに、第１領域と、当該第１領域に隣り合う第２領域と、前記第１領域と反対側で前記第２領域に隣り合う第３領域とに区分された移動範囲を前記原稿幅方向に沿って移動する原稿位置決め部材と、
前記原稿位置決め部材の移動方向で互いに異なる位置に配置された、少なくとも第１検知素子と第２検知素子を含むＮ個（Ｎは２以上の整数）の検知素子と、
前記Ｎ個の検知素子の位置に対応して設けられた複数個の作動部を有し、前記原稿位置決め部材の移動にしたがって移動することにより、前記Ｎ個の検知素子が出力する検知信号の出力形態の種別を、前記複数個の作動部を利用して２N個に変化させる作動部材と、
前記Ｎ個の検知素子が出力する検知信号に基づいて、前記原稿位置決め部材の位置を識別する識別手段とを備え、
前記第１検知素子は、前記原稿位置決め部材が前記第１領域に存在するときと前記第３領域に存在するときには同じ出力形態の検知信号を出力し、前記原稿位置決め部材が前記第１領域および前記第３領域に存在するときと前記第２領域に存在するときには異なる出力形態の検知信号を出力するように配置され、
前記第２検知素子は、前記原稿位置決め部材が前記第１領域と前記第２領域の境界部に位置するときには第１の出力形態の検知信号を出力し、前記原稿位置決め部材が前記第２領域と前記第３領域の境界部に位置するときには前記第１の出力形態と異なる第２の出力形態の検知信号を出力するように配置されている
原稿搬送装置。
【請求項５】
原稿が置かれる原稿台と、
前記原稿台に置かれた原稿を搬送する搬送手段と、
前記搬送手段によって搬送された原稿の画像を読み取る読取手段と、
前記原稿置き部に置かれた原稿を原稿幅方向で位置決めするとともに、第１領域と、当該第１領域に隣り合う第２領域と、前記第１領域と反対側で前記第２領域に隣り合う第３領域とに区分された移動範囲を前記原稿幅方向に沿って移動する原稿位置決め部材と、
前記原稿位置決め部材の移動方向で互いに異なる位置に配置された、少なくとも第１検知素子と第２検知素子を含むＮ個（Ｎは２以上の整数）の検知素子と、
前記Ｎ個の検知素子の位置に対応して設けられた複数個の作動部を有し、前記原稿位置決め部材の移動にしたがって移動することにより、前記Ｎ個の検知素子が出力する検知信号の出力形態の種別を、前記複数個の作動部を利用して２N個に変化させる作動部材と、
前記Ｎ個の検知素子が出力する検知信号に基づいて、前記原稿位置決め部材の位置を識別する識別手段とを備え、
前記第１検知素子は、前記原稿位置決め部材が前記第１領域に存在するときと前記第３領域に存在するときには同じ出力形態の検知信号を出力し、前記原稿位置決め部材が前記第１領域および前記第３領域に存在するときと前記第２領域に存在するときには異なる出力形態の検知信号を出力するように配置され、
前記第２検知素子は、前記原稿位置決め部材が前記第１領域と前記第２領域の境界部に位置するときには第１の出力形態の検知信号を出力し、前記原稿位置決め部材が前記第２領域と前記第３領域の境界部に位置するときには前記第１の出力形態と異なる第２の出力形態の検知信号を出力するように配置されている
画像読取装置。
【請求項６】
原稿を搬送する原稿搬送装置と、
前記原稿搬送装置によって搬送された原稿の画像を読み取る画像読取装置と、
前記画像読取装置によって読み取られた原稿の画像を記録媒体に記録する画像記録装置とを備え、
前記原稿搬送装置は、
原稿が置かれる原稿置き部と、
前記原稿置き部に置かれた原稿を原稿幅方向で位置決めするとともに、第１領域と、当該第１領域に隣り合う第２領域と、前記第１領域と反対側で前記第２領域に隣り合う第３領域とに区分された移動範囲を前記原稿幅方向に沿って移動する原稿位置決め部材と、
前記原稿位置決め部材の移動方向で互いに異なる位置に配置された、少なくとも第１検知素子と第２検知素子を含むＮ個（Ｎは２以上の整数）の検知素子と、
前記Ｎ個の検知素子の位置に対応して設けられた複数個の作動部を有し、前記原稿位置決め部材の移動にしたがって移動することにより、前記Ｎ個の検知素子が出力する検知信号の出力形態の種別を、前記複数個の作動部を利用して２N個に変化させる作動部材と、
前記Ｎ個の検知素子が出力する検知信号に基づいて、前記原稿位置決め部材の位置を識別する識別手段とを備え、
前記第１検知素子は、前記原稿位置決め部材が前記第１領域に存在するときと前記第３領域に存在するときには同じ出力形態の検知信号を出力し、前記原稿位置決め部材が前記第１領域および前記第３領域に存在するときと前記第２領域に存在するときには異なる出力形態の検知信号を出力するように配置され、
前記第２検知素子は、前記原稿位置決め部材が前記第１領域と前記第２領域の境界部に位置するときには第１の出力形態の検知信号を出力し、前記原稿位置決め部材が前記第２領域と前記第３領域の境界部に位置するときには前記第１の出力形態と異なる第２の出力形態の検知信号を出力するように配置されている
画像形成装置。
【発明の詳細な説明】
【技術分野】
【０００１】
本発明は、移動体の位置検出装置、原稿搬送装置、画像読取装置および画像形成装置に関する。
【背景技術】
【０００２】
特許文献１には、原稿載置台に載置された原稿の幅方向の端部の位置を、原稿幅方向にスライド可能な原稿ガイドで規制するとともに、当該原稿ガイドの原稿幅方向の位置を複数のセンサを用いて検出する自動原稿搬送装置が開示されている。
【先行技術文献】
【特許文献】
【０００３】
【特許文献１】特開２００７−５０９６９号公報
【発明の概要】
【発明が解決しようとする課題】
【０００４】
本発明の課題は、移動体の位置をＮ個の検知素子を用いて検知する場合に、移動体の位置を最大で２N個よりも多く識別することができる仕組みを提供することにある。
【課題を解決するための手段】
【０００５】
請求項１に記載の発明は、
第１領域と、当該第１領域に隣り合う第２領域と、前記第１領域と反対側で前記第２領域に隣り合う第３領域とに区分された移動範囲を移動する移動体と、
前記移動体の移動方向で互いに異なる位置に配置された、少なくとも第１検知素子と第２検知素子を含むＮ個（Ｎは２以上の整数）の検知素子と、
前記Ｎ個の検知素子の位置に対応して設けられた複数個の作動部を有し、前記移動体の移動にしたがって移動することにより、前記Ｎ個の検知素子が出力する検知信号の出力形態の種別を、前記複数個の作動部を利用して２N個に変化させる作動部材と、
前記Ｎ個の検知素子が出力する検知信号に基づいて、前記移動体の位置を識別する識別手段とを備え、
前記第１検知素子は、前記移動体が前記第１領域に存在するときと前記第３領域に存在するときには同じ出力形態の検知信号を出力し、前記移動体が前記第１領域又は前記第３領域に存在するときと前記第２領域に存在するときには異なる出力形態の検知信号を出力するように配置され、
前記第２検知素子は、前記移動体が前記第１領域と前記第２領域の境界部に位置するときには第１の出力形態の検知信号を出力し、前記移動体が前記第２領域と前記第３領域の境界部に位置するときには前記第１の出力形態と異なる第２の出力形態の検知信号を出力するように配置されている
移動体の位置検出装置に係るものである。
【０００６】
請求項２に記載の発明は、
前記識別手段は、前記第１検知素子が出力する検知信号の出力形態が変化したときに、前記第２検知信号が出力する検知信号の出力形態が前記第１の出力形態であるか前記第２の出力形態であるかによって、前記移動体が前記第１領域、前記第２領域および前記第３領域のうちのいずれの領域に移動したかを特定し、該特定した領域内で、前記Ｎ個の検知素子が出力する検知信号の出力形態の種別を基に前記移動体の位置を識別する
請求項１記載の移動体の位置検出装置に係るものである。
【０００７】
請求項３に記載の発明は、
前記識別手段は、自装置の電源が投入されたときに、前記第１検知素子が出力する検知信号の出力形態に基づいて前記移動体が前記第２領域以外の領域に存在すると特定した場合は、その後、前記第１検知素子が出力する検知信号の出力形態が変化した段階で、前記移動体が前記第１領域又は前記第３領域から前記第２領域に移動したと判断する
請求項１又は２記載の移動体の位置検出装置に係るものである。
【０００８】
請求項４に記載の発明は、
原稿が置かれる原稿置き部と、
前記原稿置き部に置かれた原稿を原稿幅方向で位置決めするとともに、第１領域と、当該第１領域に隣り合う第２領域と、前記第１領域と反対側で前記第２領域に隣り合う第３領域とに区分された移動範囲を前記原稿幅方向に沿って移動する原稿位置決め部材と、
前記原稿位置決め部材の移動方向で互いに異なる位置に配置された、少なくとも第１検知素子と第２検知素子を含むＮ個（Ｎは２以上の整数）の検知素子と、
前記Ｎ個の検知素子の位置に対応して設けられた複数個の作動部を有し、前記原稿位置決め部材の移動にしたがって移動することにより、前記Ｎ個の検知素子が出力する検知信号の出力形態の種別を、前記複数個の作動部を利用して２N個に変化させる作動部材と、
前記Ｎ個の検知素子が出力する検知信号に基づいて、前記原稿位置決め部材の位置を識別する識別手段とを備え、
前記第１検知素子は、前記原稿位置決め部材が前記第１領域に存在するときと前記第３領域に存在するときには同じ出力形態の検知信号を出力し、前記原稿位置決め部材が前記第１領域又は前記第３領域に存在するときと前記第２領域に存在するときには異なる出力形態の検知信号を出力するように配置され、
前記第２検知素子は、前記原稿位置決め部材が前記第１領域と前記第２領域の境界部に位置するときには第１の出力形態の検知信号を出力し、前記原稿位置決め部材が前記第２領域と前記第３領域の境界部に位置するときには前記第１の出力形態と異なる第２の出力形態の検知信号を出力するように配置されている
原稿搬送装置に係るものである。
【０００９】
請求項５に記載の発明は、
原稿が置かれる原稿台と、
前記原稿台に置かれた原稿を搬送する搬送手段と、
前記搬送手段によって搬送された原稿の画像を読み取る読取手段と、
前記原稿置き部に置かれた原稿を原稿幅方向で位置決めするとともに、第１領域と、当該第１領域に隣り合う第２領域と、前記第１領域と反対側で前記第２領域に隣り合う第３領域とに区分された移動範囲を前記原稿幅方向に沿って移動する原稿位置決め部材と、
前記原稿位置決め部材の移動方向で互いに異なる位置に配置された、少なくとも第１検知素子と第２検知素子を含むＮ個（Ｎは２以上の整数）の検知素子と、
前記Ｎ個の検知素子の位置に対応して設けられた複数個の作動部を有し、前記原稿位置決め部材の移動にしたがって移動することにより、前記Ｎ個の検知素子が出力する検知信号の出力形態の種別を、前記複数個の作動部を利用して２N個に変化させる作動部材と、
前記Ｎ個の検知素子が出力する検知信号に基づいて、前記原稿位置決め部材の位置を識別する識別手段とを備え、
前記第１検知素子は、前記原稿位置決め部材が前記第１領域に存在するときと前記第３領域に存在するときには同じ出力形態の検知信号を出力し、前記原稿位置決め部材が前記第１領域および前記第３領域に存在するときと前記第２領域に存在するときには異なる出力形態の検知信号を出力するように配置され、
前記第２検知素子は、前記原稿位置決め部材が前記第１領域と前記第２領域の境界部に位置するときには第１の出力形態の検知信号を出力し、前記原稿位置決め部材が前記第２領域と前記第３領域の境界部に位置するときには前記第１の出力形態と異なる第２の出力形態の検知信号を出力するように配置されている
画像読取装置に係るものである。
【００１０】
請求項６に記載の発明は、原稿を搬送する原稿搬送装置と、
前記原稿搬送装置によって搬送された原稿の画像を読み取る画像読取装置と、
前記画像読取装置によって読み取られた原稿の画像を記録媒体に記録する画像記録装置とを備え、
前記原稿搬送装置は、
原稿が置かれる原稿置き部と、
前記原稿置き部に置かれた原稿を原稿幅方向で位置決めするとともに、第１領域と、当該第１領域に隣り合う第２領域と、前記第１領域と反対側で前記第２領域に隣り合う第３領域とに区分された移動範囲を前記原稿幅方向に沿って移動する原稿位置決め部材と、
前記原稿位置決め部材の移動方向で互いに異なる位置に配置された、少なくとも第１検知素子と第２検知素子を含むＮ個（Ｎは２以上の整数）の検知素子と、
前記Ｎ個の検知素子の位置に対応して設けられた複数個の作動部を有し、前記原稿位置決め部材の移動にしたがって移動することにより、前記Ｎ個の検知素子が出力する検知信号の出力形態の種別を、前記複数個の作動部を利用して２N個に変化させる作動部材と、
前記Ｎ個の検知素子が出力する検知信号に基づいて、前記原稿位置決め部材の位置を識別する識別手段とを備え、
前記第１検知素子は、前記原稿位置決め部材が前記第１領域に存在するときと前記第３領域に存在するときには同じ出力形態の検知信号を出力し、前記原稿位置決め部材が前記第１領域および前記第３領域に存在するときと前記第２領域に存在するときには異なる出力形態の検知信号を出力するように配置され、
前記第２検知素子は、前記原稿位置決め部材が前記第１領域と前記第２領域の境界部に位置するときには第１の出力形態の検知信号を出力し、前記原稿位置決め部材が前記第２領域と前記第３領域の境界部に位置するときには前記第１の出力形態と異なる第２の出力形態の検知信号を出力するように配置されている
画像形成装置に係るものである。
【発明の効果】
【００１１】
請求項１に記載の発明によれば、移動体の位置をＮ個の検知素子を用いて検知する場合に、移動体の位置を最大で２N個よりも多く識別可能な移動体の位置検出装置を実現することができる。
【００１２】
請求項２に記載の発明によれば、第１検知素子が出力する検知信号の出力形態が変化したときに、第２検知素子が出力する検知信号の出力形態に基づいて、移動体の位置を正確に識別することができる。
【００１３】
請求項３に記載の発明によれば、装置の電源を投入したときに、移動体が第１領域に存在するのか第３領域に存在するのか判別できなくても、第１検知素子が出力する検知信号の出力形態の変化を感知した段階で、移動体の存在する領域を正確に特定することができる。
【００１４】
請求項４に記載の発明によれば、原稿位置決め部材の位置をＮ個の検知素子を用いて検知する場合に、原稿位置決め部材の位置を最大で２N個よりも多く識別可能な原稿搬送装置を実現することができる。
【００１５】
請求項５に記載の発明によれば、原稿位置決め部材の位置をＮ個の検知素子を用いて検知する場合に、原稿位置決め部材の位置を最大で２N個よりも多く識別可能な原稿搬送装置を備える画像読取装置を実現することができる。
【００１６】
請求項６に記載の発明によれば、原稿位置決め部材の位置をＮ個の検知素子を用いて検知する場合に、原稿位置決め部材の位置を最大で２N個よりも多く識別可能な原稿搬送装置を備える画像形成装置を実現することができる。
【図面の簡単な説明】
【００１７】
【図１】本発明の実施の形態に係る画像形成装置の構成を示す概略図である。
【図２】本発明の実施の形態に係る画像読取装置の構成の一部を示す平面図である。
【図３】本発明の実施の形態に係る画像読取装置の構成の一部を示す斜視図である。
【図４】本発明の実施の形態に係る画像読取装置の全体構成を示す概略図である。
【図５】本発明の実施の形態に係る画像形成装置の外観を示す斜視図である。
【図６】原稿ガイドを移動させたときの作動部材と各検知センサの位置の変化を示す図である。
【図７】原稿ガイドを移動させたときの作動部材と各検知センサの位置の変化を示す図である。
【図８】原稿ガイドを移動させたときの作動部材と各検知センサの位置の変化を示す図である。
【図９】原稿ガイドの移動範囲の領域区分と検知センサの検知信号の関係を示す図である。
【図１０】本発明の実施の形態に係る画像読取装置の処理手順の一例を示すフローチャートである。
【図１１】本発明の実施の形態に係る画像読取装置において、当該装置の電源投入時に原稿ガイドの位置検知のために行なわれる処理手順の一例を示すフローチャートである。
【図１２】検知信号のオンオフのパターンと原稿ガイドの位置と原稿幅との対応関係を示す対応表の一例を示す図である。
【発明を実施するための形態】
【００１８】
以下、本発明の具体的な実施の形態について図面を参照しつつ詳細に説明する。なお、本発明の技術的範囲は以下に記述する実施の形態に限定されるものではなく、発明の構成要件やその組み合わせによって得られる特定の効果を導き出せる範囲において、種々の変更や改良を加えた形態も含む。
【００１９】
＜用語の定義＞
本発明の実施の形態においては、以下のように用語を定義したうえで、具体的な内容を説明する。
【００２０】
「原稿のサイズ」は、「原稿幅」と「原稿長」によって規定されるものとする。「原稿幅」とは、原稿の画像を主走査方向と副走査方向に読み取り走査する場合の、「主走査方向」の原稿サイズをいい、「原稿長」とは「副走査方向」の原稿サイズをいう。また、原稿の搬送方向で規定すると、「原稿幅」とは、原稿の搬送方向と直交する方向の原稿サイズをいい、「原稿長」とは、原稿の搬送方向の原稿サイズをいう。このため、「原稿幅方向」は、原稿の搬送方向と直交する方向に相当し、「原稿長方向」は、原稿の搬送方向に相当するものとなる。
【００２１】
「主走査方向」とは、キャリッジ等の走査体に搭載された光学系（ランプ、ミラー等）を用いて原稿の画像を読み取るときに、原稿と走査体が相対的に移動する方向に対して垂直な方向をいう。「副走査方向」とは、走査体に搭載された光学系を用いて原稿の画像を読み取るときに、原稿と走査体が相対的に移動する方向をいう。このため、「主走査方向」は、「副走査方向」に直交する方向となる。また、「主走査方向」は、原稿の搬送方向と直交する方向（原稿幅方向）に相当し、「副走査方向」は、原稿の搬送方向（原稿長方向）に相当するものとなる。
【００２２】
「原稿の先端」とは、原稿の搬送方向の下流側を向いて配置される原稿端をいい、「原稿の後端」とは、原稿の搬送方向の上流側を向いて配置される原稿端をいう。「原稿の側端」とは、原稿の搬送方向と直交する方向の原稿端をいう。
【００２３】
＜本発明の実施の形態に係る画像形成装置の構成＞
図１は本発明の実施の形態に係る画像形成装置の構成を示す概略図である。画像形成装置１００は、大きくは、画像記録装置１１０と、画像読取装置１０とを備えている。
【００２４】
画像読取装置１０は、画像形成装置１００の上部に配置されている。画像記録装置１１０は、画像形成装置１００の下部に配置されている。
【００２５】
画像読取装置１０は、原稿の画像を光学的に読み取るとともに、その読み取った画像を画像信号に変換する。画像記録装置１１０は、画像読取装置１０が変換した画像信号に基づいて、用紙等の記録媒体Ｐに画像を記録する。
【００２６】
ここで、本実施の形態に係る画像記録装置１１０の構成について説明する。
【００２７】
本実施の形態に係る画像記録装置１１０は、図１に示すように、その下部に複数の記録媒体収容部１２０、１２１を備えている。
【００２８】
記録媒体収容部１２０、１２１には、それぞれ、サイズの異なる記録媒体Ｐが収容されている。例えば、記録媒体収容部１２０には、Ｂ５サイズの記録媒体Ｐが収容され、記録媒体収容部１２１には、Ｂ４サイズの記録媒体Ｐが収容される。
【００２９】
記録媒体収容部１２０、１２１の先端側（図１において右端側）の直上には、記録媒体Ｐの上面の先端側に接触して回転し、記録媒体収容部１２０、１２１から記録媒体Ｐを送り出す送り出しロール１２６が配置されている。
【００３０】
画像記録装置１１０内には、記録媒体収容部１２０、１２１の先端部から延出して、Ｓ字状に湾曲し、画像記録装置１１０の上部へ向かって延びる搬送路１２２が形成されている。
【００３１】
この搬送路１２２に沿って、記録媒体の搬送方向の上流側から順に、複数（例えば、６つ）の搬送ロール対１６４と、レジストロール１６８とが配置されている。各々の搬送ロール対１６４およびレジストロール１６８は、それぞれ、記録媒体Ｐを挟持した状態で搬送する。
【００３２】
記録媒体収容部１２１の上方には、記録媒体Ｐに画像を記録する画像記録部１３０が配置されている。画像記録部１３０は、記録方式の一例として、電子写真方式に基づいて記録媒体Ｐに画像を形成（印刷出力）する構成となっている。
【００３３】
記録媒体収容部１２０、１２１に収容された記録媒体Ｐは、送り出しロール１２６により送り出され、各搬送ロール対１６４およびレジストロール１６８によって搬送路１２２を搬送されて画像記録部１３０へ送られる。
【００３４】
画像記録部１３０は、記録媒体収容部１２０、１２１から送られてきた記録媒体Ｐに、例えば、シアン、マゼンタ、イエローおよびブラックの各色のトナーを用いてカラー画像を形成する。ちなみに、画像記録部１３０は、カラー画像を形成する以外にも、ブラックのトナーを用いて白黒画像を形成する場合もある。
【００３５】
画像記録部１３０には、４つの感光体ドラム１１２が並んで回転可能に設けられている。各感光体ドラム１１２は、図示しない駆動部により、矢印Ｋの方向に回転する。
【００３６】
各感光体ドラム１１２の左斜め下部には、帯電ロール１１４が感光体ドラム１１２に接触するように配置されている。帯電ロール１１４は、感光体ドラム１１２の表面を所定の電位に帯電する。
【００３７】
帯電後、各感光体ドラム１１２の下方に配置された各露光ヘッド１１６から出射された光によって露光が行われ、画像読取装置１０が変換した画像信号に応じた潜像が感光体ドラム１１２の表面に形成される。
【００３８】
各色の現像器１１８の現像ロール１１９には、所定の極性に帯電した各色のトナーが保持されている。各感光体ドラム１１２の表面に形成された潜像は、現像ロール１１９に現像バイアスを印加することで現像され各色のトナー像となる。
【００３９】
４個の各感光体ドラム１１２にそれぞれ形成された各色のトナー像は、各感光体ドラム１１２の上方に配置された中間転写ベルト１１３上に第１転写ロール１１５で転写され、中間転写ベルト１１３上に重畳されてフルカラーのトナー像となる。
【００４０】
記録媒体収容部１２０、１２１から送り出されると共に搬送ロール対１６４で搬送された記録媒体Ｐは、レジストロール１６８により所定のタイミングで第２転写ロール１３２と中間転写ロール１３４との間に送られ、フルカラーのトナー像が記録媒体Ｐに転写される。このとき、トナー像は中間転写ロール１３４側の記録媒体Ｐの面に転写される。
【００４１】
フルカラーのトナー像が転写された記録媒体Ｐは、定着器１３６に送られる。定着器１３６は熱と圧力とで記録媒体Ｐにトナー像を定着する。トナー像が定着した記録媒体Ｐは、排出ロール１４２によって排紙トレイ１４０へ排出される。
【００４２】
なお、中間転写ベルト１１３と記録媒体Ｐとにトナー像は全て転写されずに、一部は感光体ドラム１１２および中間転写ベルト１１３に残留トナーとして残る。感光体ドラム１１２上の残留トナーはクリーニングロール１４４により除去され、中間転写ベルト１１３上の残留トナーはクリーニング装置１３８によって除去される。
【００４３】
＜本発明の実施の形態に係る画像読取装置の構成＞
次に、本発明の実施の形態に係る画像読取装置の構成について、上記図１とあわせて図２〜図４を用いて説明する。
【００４４】
本実施の形態に係る画像読取装置１０は、原稿の画像を読み取る機能の他に、原稿を搬送する原稿搬送装置としての機能を有している。画像読取装置１０の上部には、原稿が置かれる原稿置き部の一例としての原稿トレイ１１と、この原稿トレイ１１を上昇および下降させるトレイリフタ１２とが設けられている。原稿トレイ１１は、原稿の搬送中（搬送開始から搬送終了まで）は同じ位置（高さ）に停止した状態に維持される。原稿トレイ１１には、通常は、複数枚の原稿をひとまとめに重ね合わせた原稿束が置かれるが、原稿が１枚だけ置かれる場合もあり得る。また、原稿トレイ１１には、同一サイズの原稿だけでなく、原稿のサイズを規定する原稿長および原稿幅のうち、少なくとも一方のサイズが異なる複数枚の原稿（原稿束）を同時に置く（混載する）ことが可能となっている。
【００４５】
画像読取装置１０は、原稿トレイ１１に置かれた原稿を搬送する搬送手段の一例としての搬送部３７と、搬送部３７によって搬送された原稿の画像を読み取る読取手段の一例としての読取部７０と、読取部７０によって読み取られた原稿の画像に基づく画像信号を処理する処理装置８０とを備えている。
【００４６】
また、図５に示すように、画像読取装置１０の筐体表面には、画像形成装置１００を使用（操作）する使用者が操作可能な操作部の一例としての操作パネル５８が設けられている。この操作パネル５８は、表示手段の一例としての表示パネル５９を備えている。
【００４７】
搬送部３７は、原稿トレイ１１に置かれた原稿を最上位の原稿から順に搬送するもので、繰り出しロール１３と送り出しロール対１４、１５とを備えている。さらに搬送部３７は、原稿を搬送するための搬送路として、第１搬送路３１、第２搬送路３２、第３搬送路３３、第４搬送路３４、第５搬送路３５および第６搬送路３６を備えている。
【００４８】
繰り出しロール１３は、原稿トレイ１１に原稿が置かれていない待機時には、原稿トレイ１１から離間するように上方に退避した位置に保持される。そして、原稿トレイ１１に原稿が置かれた状態で原稿搬送を開始するときに、退避位置から下降して原稿の最上面に接触し、この状態で回転することにより、原稿トレイ１１から原稿を繰り出す。
【００４９】
繰り出しロール１３は、トレイリフタ１２により上昇された原稿トレイ１１に置かれた原稿を最上位の原稿から順に繰り出す。送り出しロール対１４、１５は、繰り出しロール１３によって繰り出された原稿を１枚ずつ分離した状態で搬送方向の下流側へと送り出す。繰り出しロール１３は、繰り出し部材の一例として設けられ、送り出しロール対１４、１５は、送り出し部材の一例として設けられたものである。
【００５０】
第１搬送路３１は、原稿トレイ１１に置かれた原稿が最初に送り出される搬送路である。この第１搬送路３１には、上述した送り出しロール対１４、１５の他に、テイクアウェイロール１６、プレレジロール１７、レジロール１８、プラテンロール１９およびアウトロール２０が、搬送路の上流側から下流側に順に配置されている。また、第１搬送路３１には、搬送される原稿のループ状態に応じて、支点を中心に回動するバッフル４１が設けられている。
【００５１】
テイクアウェイロール１６は、送り出しロール対１４、１５によって１枚ずつ分離して送り出された原稿を更に下流側のロールに向けて搬送する。プレレジロール１７は、テイクアウェイロール１６によって搬送された原稿を更に下流側のロールに向けて搬送すると共に、当該搬送した原稿の先端をレジロール１８に突き当てた状態で予め設定された搬送量だけ原稿を搬送することにより、レジロール１８の手前（上流側）で原稿をループ状に撓ませる、いわゆるループの形成を行う。原稿のループの形成に際して、バッフル４１は支点を中心に外側に逃げるように変位することで、原稿のループ形成を妨げることのないように機能する。
【００５２】
レジロール１８は、当該レジロール１８への突き当てによって一旦、原稿の搬送を停止した後に、タイミングを合わせて回転を再開し、読取部７０に対してレジストレーション調整を施しながら原稿を供給する。プラテンロール１９は、読み込み中（第２プラテンガラス７２Ｂを通過中）の原稿の搬送をアシストする。アウトロール２０は、読み込まれた原稿を更に下流に搬送する。
【００５３】
第２搬送路３２および第３搬送路３３は、アウトロール２０の下流側で分岐している。第２搬送路３２と第３搬送路３３の分岐部分には、切り替えゲート４２が設けられている。切り替えゲート４２は、アウトロール２０によって搬送された原稿の進路を第２搬送路３２又は第３搬送路３３を切り替える。
【００５４】
第２搬送路３２の終端部には第１排出ロール２１が設けられている。第１排出ロール２１は、第２搬送路３２へと搬送された原稿を排出トレイ４０上に排出するものである。
【００５５】
第３搬送路３３の下流側には、第３搬送路３３を経由した原稿をスイッチバックさせるための第４搬送路３４が形成されている。第４搬送路３４には、原稿のスイッチバックを行うインバータロール２２およびインバータピンチロール２３が設けられている。
【００５６】
第５搬送路３５は、第４搬送路３４でインバータロール２２およびインバータピンチロール２３によりスイッチバックされた原稿を、第１搬送路３１に導くために、第４搬送路３４と第１搬送路３１とをつないでいる。
【００５７】
第６搬送路３６は、第４搬送路３４でインバータロール２２およびインバータピンチロール２３によりスイッチバックされた原稿を、第２搬送路３２に導くために、第４搬送路３４と第２搬送路３２とをつないでいる。第６搬送路３６の途中には第２排出ロール２４が配置されている。
【００５８】
切り替えゲート４３は、第４搬送路３４でインバータロール２２およびインバータピンチロール２３によりスイッチバックされた原稿の進路を、第５搬送路３５又は第６搬送路３６に切り替える。
【００５９】
読取部７０は、画像読取装置１０の下部に設けられている。読取部７０は、搬送部３７によって搬送された原稿の画像を光学的に読み取るための構成を有している。読取部７０の筐体を形成する装置フレーム７１の上部には、原稿台の一例として、第１プラテンガラス７２Ａと第２プラテンガラス７２Ｂが設けられている。
【００６０】
第１プラテンガラス７２Ａは、画像の読み取り対象となる原稿（本を含む）を静止させた状態に置いて、当該静止状態の原稿の画像を読み取るための原稿台となる。第２プラテンガラス７２Ｂは、画像の読み取り対象となる原稿を上記原稿トレイ１１に置いて搬送部３７により搬送した場合に、当該搬送中（移動中）の原稿の画像を読み取るための原稿台となる。
【００６１】
読取部７０の装置フレーム７１の内部には、フルレートキャリッジ７３と、ハーフレートキャリッジ７５とが組み込まれている。フルレートキャリッジ７３には、原稿に光を照射する照明ランプ７４と、原稿から得られた反射光を受光する第１ミラー７６Ａが搭載されている。ハーフレートキャリッジ７５には、第１ミラー７６Ａから得られた光を結像部へ導く第２ミラー７６Ｂおよび第３ミラー７６Ｃが搭載されている。
【００６２】
結像部は、結像レンズ７７およびＣＣＤ(Charge Coupled Device)イメージセンサ７８を用いて構成されている。結像レンズ７７は、第３ミラー７６Ｃによって反射された光学像を光学的に縮小する。ＣＣＤイメージセンサ７８は、結像レンズ７７によって結像された光学像を光電変換することにより、画像信号を生成する。ＣＣＤイメージセンサ７８は駆動基板７９に実装されている。ＣＣＤイメージセンサ７８によって得られた画像信号は駆動基板７９を介して処理装置８０に送られる。処理装置８０は、画像信号を露光ヘッド１１６へ送るようになっている。
【００６３】
第１プラテンガラス７２Ａに置かれた原稿の画像を読み取る場合は、フルレートキャリッジ７３とハーフレートキャリッジ７５とが、２：１の割合でスキャン方向（矢印方向）に移動する。このとき、フルレートキャリッジ７３の照明ランプ７４の光が原稿の被読み取り面に照射されると共に、その原稿からの反射光が第１ミラー７６Ａ、第２ミラー７６Ｂおよび第３ミラー７６Ｃの順に反射されて結像レンズ７７に導かれる。
【００６４】
結像レンズ７７に導かれた光は、ＣＣＤイメージセンサ７８の受光面に結像される。ＣＣＤイメージセンサ７８は１次元のセンサであり、１ライン分を同時に処理している。このライン方向（主走査方向）の１ライン単位の読み取りを、スキャン方向に移動するフルレートキャリッジ７３とハーフレートキャリッジ７５の移動中に繰り返し実行することにより、原稿の１ページ分の画像が読み取られる。
【００６５】
一方、第２プラテンガラス７２Ｂは、例えば長尺の板状構造をなす透明なガラスプレートで構成される。搬送部３７によって搬送される原稿がこの第２プラテンガラス７２Ｂの上を通過する。このとき、フルレートキャリッジ７３とハーフレートキャリッジ７５とは、図１に示す実線の位置（左端）に停止した状態にあり、この状態で搬送中の原稿の画像が次のように読み取られる。
【００６６】
まず、搬送部３７のプラテンロール１９で第２プラテンガラス７２Ｂの上面に押し付けられた原稿の被読み取り面に対して、フルレートキャリッジ７３の照明ランプ７４の光が照射されると共に、その原稿からの反射光が第１ミラー７６Ａ、第２ミラー７６Ｂおよび第３ミラー７６Ｃの順に反射されて結像レンズ７７に導かれる。そして、上記同様に一次元のセンサであるＣＣＤイメージセンサ７８によって１ライン分を同時に処理する。この１ライン単位の読み取りを、第２プラテンガラス７２Ｂ上を移動する原稿の移動中（搬送中）に繰り返し実行することにより、原稿の１ページ分の画像が読み取られる。
【００６７】
本実施の形態に係る画像読取装置１０では、原稿の搬送方向Ａと直交する方向の中心位置を基準として原稿を搬送し、この搬送中の原稿の画像を読み取るセンターレジストレーションが採用されている。このセンターレジストレーションを実現するにあたっては、主走査方向で原稿をセンター振り分けとして位置決めする一対の原稿ガイド６１，６２を原稿トレイ１１上に設けている。
【００６８】
一対の原稿ガイド６１，６２は、原稿トレイ１１に置かれた原稿を原稿幅方向（主走査方向）で位置決めする原稿位置決め部材の一例として設けられたものである。一対の原稿ガイド６１，６２のうち、一方の原稿ガイド６１は、画像形成装置１００を使用（操作）する使用者の立ち位置から見て奥側に配置され、他方の原稿ガイド６２は、当該使用者の立ち位置から見て手前側に配置されている。このため、以降の説明では、一方の原稿ガイド６１を奥側ガイド６１とも呼び、他方の原稿ガイド６２を手前側ガイド６２とも呼ぶ。
【００６９】
奥側ガイド６１および手前側ガイド６２は、原稿トレイ１１に形成されたスライド溝６５により、原稿の搬送方向Ａと直交する方向（原稿幅方向）に移動可能に設けられている。
【００７０】
また、奥側ガイド６１および手前側ガイド６２は、それぞれ原稿の一方（奥側）の側端と他方（手前側）の側端に突き当てられることにより、原稿の両方の側端位置を揃えるようにして原稿を位置決めする。
【００７１】
さらに、奥側ガイド６１および手前側ガイド６２は、原稿トレイ１１の裏側（原稿トレイの内側）に設けられたラック６３とそれぞれ連結されている。奥側ガイド６１から延びるラック６３と手前側ガイド６２から延びるラック６３は、共通のピニオン６４に噛み合っている。各ラック６３とピニオン６４の噛み合いにより、奥側ガイド６１および手前側ガイド６２は、原稿幅方向で互いに同量ずつ接近又は離間する方向に移動するようになっている。その際、奥側ガイド６１および手前側ガイド６２が原稿幅方向の中心位置から左右均等となる位置に配置されていれば（センター振り分けがなされていれば）、奥側ガイド６１および手前側ガイド６２の間の中心位置は、これらのガイドがスライドした後であっても同じ位置に維持される。
【００７２】
画像読取装置１０は、図３に示すように、一対の原稿ガイド６１、６２のうち、奥側ガイド６１の位置を検知する検知手段５０を備えている。検知手段５０は、奥側ガイド６１のスライド移動に伴って、例えば、奥側ガイド６１と一体に移動する作動部材５２に沿って配置された複数の検知センサ５４を備えている。ここでは一例として、検知センサ５４の個数が３個となっている。各々の検知センサ５４は、移動体の一例としての奥側ガイド６１の移動方向で互いに異なる位置に配置されている。各々の検知センサ５４は、検知素子の一例として設けられたものである。
【００７３】
一対の原稿ガイド６１、６２は、原稿トレイ１１に置かれた原稿を位置決めするにあたって、当該原稿の両方の側端に同時に突き当てられる。このため、原稿を位置決めした状態の原稿ガイド６１，６２の位置は、原稿トレイ１１に置かれた原稿の原稿幅に対応した位置となる。したがって、奥側ガイド６１の位置を検知する検知手段５０は、原稿トレイ１１に置かれた原稿の原稿幅を検知する機能を有するものとなる。
【００７４】
作動部材５２は、断面Ｌ字状に屈曲された板体で構成され、奥側ガイド６１のラック６３と一体に構成されている。作動部材５２には、上記３個の検知センサ５４の位置に対応して設けられる複数個の作動部の一例として、例えば、合計６個の開口５３が設けられている。各々の開口５３は、作動部材５２の移動方向（原稿幅方向）において、互いに異なる位置に、それぞれ所定の大きさ（開口寸法）で設けられている。なお、ここでは作動部材５２に開口５３を設けているが、当該開口５３に代えて、例えば、切り欠き（不図示）を設けてもよい。
【００７５】
３個の検知センサ５４は、例えば、発光部５４Ａと受光部５４Ｂとを有する光センサを用いて構成されている。上述した作動部材５２の開口５３が形成された部分は、各々の検知センサ５４の発光部５４Ａと受光部５４Ｂの間を移動するようになっている。
【００７６】
検知センサ５４の発光部５４Ａと受光部５４Ｂの間に作動部材５２のいずれかの開口５３が位置する状態では、発光部５４Ａから照射された光を受光部５４Ｂが受光する。この場合、検知センサ５４はオフ状態となる。また、検知センサ５４の発光部５４Ａと受光部５４Ｂの間に作動部材５２の開口５３が位置しない状態では、発光部５４Ａから照射された光が作動部材５２で遮られて受光部５４Ｂが受光しない。この場合、検知センサ５４はオン状態となる。
【００７７】
個々の検知センサ５４は、オン状態のときとオフ状態のときで、出力形態の異なる検知信号を出力する。ここでは一例として、個々の検知センサ５４は、オン状態で低(Low)レベルの検知信号（以下、「オン信号」とも記す）を出力し、オフ状態で高(high)レベルの検知信号(以下、「オフ信号」とも記す）を出力するものとする。なお、ここでは一例として、オン／オフといった２つの出力形態のうちのいずれかで、検知センサ５４が検知信号を出力するものとなっているが、検知信号が出力する検知信号の出力形態はオン／オフ以外の形態であってもよい。
【００７８】
上述のように３個の検知センサ５４を用いて奥側ガイド６１の位置を検知する場合は、３個の検知センサ５４が出力する検知信号の出力形態（オン／オフ）の種別（パターン）が、最大で８つに分けられる。これは、奥側ガイド６１の位置の検知に用いる検知センサの個数をＮ個（Ｎは２以上の整数）としたときに、Ｎ個の検知センサから出力される検知信号の出力形態の種別、すなわちオン／オフ信号の組み合わせのパターンが、最大で２N個となるためである。したがって、例えば、検知センサの個数が２個の場合は、検知信号の出力形態の種別が最大で４個となり、検知センサの個数が４個の場合は、検知信号の出力形態の種別が最大で１６個となる。本実施の形態においては、一例として、検知センサの個数を３個とするが、検知センサの個数は、２個であっても４個以上であってもよい。
【００７９】
作動部材５２の各開口５３と各検知センサ５４の相対的な位置関係や、各開口５３の寸法は、奥側ガイド６１の移動にしたがって作動部材５２が移動したときに、３個の検知センサ５４が出力する検知信号の出力形態の種別が８個に変化するように設定されている。
【００８０】
さらに詳述すると、まず、説明の便宜上、図３に示すように、３つの検知センサ５４を手前側ガイド６２に近い側から順に、検知センサ５４−１、検知センサ５４−２、検知センサ５４−３と区別するとともに、作動部材５２に設けられた６個の開口５３を手前側ガイド６２に近い側から順に、開口５３―１、開口５３−２、開口５３−３、開口５３−４、開口５３−５、開口５３−６と区別する。
【００８１】
そうした場合、例えば、奥側ガイド６１を、原稿幅方向の中心位置から最も離れた外側から、内側（原稿幅方向の中心側）に向かって移動させていくと、当該移動方向において、上記６個の開口５３と上記３個の検知センサ５４との相対位置が変化する。そうすると、各々の検知センサ５４から出力される検知信号の出力形態が、例えば、下記のように切り替わる。
【００８２】
まず、原稿トレイ１１に置かれる原稿のうち、例えば、原稿幅が最大となる原稿にあわせて奥側ガイド６１を一番外側に移動させると、図６（Ａ）の状態になる。この状態では、検知センサ５４−１が開口５３−１の介在によってオフ状態になり、検知センサ５４−２が開口５３−２の介在によってオフ状態になり、検知センサ５４−３が開口５３−３の介在によってオフ状態になる。
【００８３】
次に、上記図６（Ａ）の状態から奥側ガイド６１を少し内側に移動させると、図６（Ｂ）の状態になる。この状態では、検知センサ５４−１が開口５３−１の介在によってオフ状態になり、検知センサ５４−２が開口５３−２の介在によってオフ状態になり、検知センサ５４−３が作動部材５２の介在によってオン状態になる。
【００８４】
次に、上記図６（Ｂ）の状態から奥側ガイド６１を少し内側に移動させると、図６（Ｃ）の状態になる。この状態では、検知センサ５４−１が開口５３−１の介在によってオフ状態になり、検知センサ５４−２が作動部材５２の介在によってオン状態になり、検知センサ５４−３が作動部材５２の介在によってオン状態になる。
【００８５】
次に、上記図６（Ｃ）の状態から奥側ガイド６１を少し内側に移動させると、図６（Ｄ）の状態になる。この状態では、検知センサ５４−１が開口５３−１の介在によってオフ状態になり、検知センサ５４−２が作動部材５２の介在によってオン状態になり、検知センサ５４−３が開口５３−４の介在によってオフ状態になる。
【００８６】
次に、上記図６（Ｄ）の状態から奥側ガイド６１を少し内側に移動させると、図７（Ａ）の状態になる。この状態では、検知センサ５４−１が作動部材５２の介在によってオン状態になり、検知センサ５４−２が作動部材５２の介在によってオン状態になり、検知センサ５４−３が開口５３−４の介在によってオフ状態になる。
【００８７】
次に、上記図７（Ａ）の状態から奥側ガイド６１を少し内側に移動させると、図７（Ｂ）の状態になる。この状態では、検知センサ５４−１が作動部材５２の介在によってオン状態になり、検知センサ５４−２が作動部材５２の介在によってオン状態になり、検知センサ５４−３が作動部材５２の介在によってオン状態になる。
【００８８】
次に、上記図７（Ｂ）の状態から奥側ガイド６１を少し内側に移動させると、図７（Ｃ）の状態になる。この状態では、検知センサ５４−１が作動部材５２の介在によってオン状態になり、検知センサ５４−２が開口５３−３の介在によってオフ状態になり、検知センサ５４−３が作動部材５２の介在によってオン状態になる。
【００８９】
次に、上記図７（Ｃ）の状態から奥側ガイド６１を少し内側に移動させると、図７（Ｄ）の状態になる。この状態では、検知センサ５４−１が作動部材５２の介在によってオン状態になり、検知センサ５４−２が開口５３−３の介在によってオフ状態になり、検知センサ５４−３が開口５３−５の介在によってオフ状態になる。
【００９０】
次に、上記図７（Ｄ）の状態から奥側ガイド６１を少し内側に移動させると、図８（Ａ）の状態になる。この状態では、検知センサ５４−１が開口５３−２の介在によってオフ状態になり、検知センサ５４−２が開口５３−３の介在によってオフ状態になり、検知センサ５４−３が開口５３−５の介在によってオフ状態になる。
【００９１】
次に、上記図８（Ａ）の状態から奥側ガイド６１を少し内側に移動させると、図８（Ｂ）の状態になる。この状態では、検知センサ５４−１が開口５３−２の介在によってオフ状態になり、検知センサ５４−２が開口５３−３の介在によってオフ状態になり、検知センサ５４−３が作動部材５２の介在によってオン状態になる。
【００９２】
次に、上記図８（Ｂ）の状態から奥側ガイド６１を少し内側に移動させると、図８（Ｃ）の状態になる。この状態では、検知センサ５４−１が開口５３−２の介在によってオフ状態になり、検知センサ５４−２が作動部材５２の介在によってオン状態になり、検知センサ５４−３が作動部材５２の介在によってオン状態になる。
【００９３】
次に、上記図８（Ｃ）の状態から奥側ガイド６１を少し内側に移動させると、図８（Ｄ）の状態になる。この状態では、検知センサ５４−１が開口５３−２の介在によってオフ状態になり、検知センサ５４−２が作動部材５２の介在によってオン状態になり、検知センサ５４−３が開口５３−６の介在によってオフ状態になる。
【００９４】
ちなみに、奥側ガイド６１を、原稿幅方向の中心位置に最も近い内側（原稿幅が最小の原稿にあわせた位置）から、外側に向かって移動させていくと、前述のケースとは逆の順序で、各検知センサ５４−１、５４−２、５４−３の検知信号の出力形態が切り替わる。
【００９５】
奥側ガイド６１および手前側ガイド６２は、それぞれ、画像読取装置１０で取り扱う最大幅の原稿と最小幅の原稿に合わせて設定された移動範囲を、原稿幅方向に沿って直線的に往復移動する。その場合、原稿幅方向における奥側ガイド６１の移動範囲は、「第１領域」と、当該第１領域に隣り合う「第２領域」と、第１領域と反対側で第２領域に隣り合う「第３領域」とに区分されている。
【００９６】
例えば、原稿幅方向の中心位置に近い側を「内側」、原稿幅方向の中心位置から遠い側を「外側」と定義すると、奥側ガイド６１の移動範囲は、図９に示すように、「外側領域」、「中間領域」および「内側領域」といった３つの領域に区分されている。これら３つの領域と、前述した「第１領域」、「第２領域」および「第３領域」との対応関係を記述すると、「中間領域」は「第２領域」の一例となる。また、「外側領域」を「第１領域」の一例とすると、「内側領域」は「第３領域」の一例となり、「外側領域」を「第３領域」の一例とすると、「内側領域」は「第１領域」の一例となる。
【００９７】
また、１つの領域内で奥側ガイド６１を移動させた場合は、Ｎ個（本形態例では３個）の検知センサから出力される検知信号のオン／オフ信号（出力形態）が、「２N÷２」個のパターン（種別）で変化するようになっている。
【００９８】
すなわち、奥側ガイド６１が外側領域に存在する場合は、当該外側領域内で奥側ガイド６１が移動したときに、各々の検知センサ５４−１、５４−２、５４−３から出力されるオン／オフ信号が、上記図６（Ａ）〜（Ｄ）および図９に示すように、４つの異なるパターンで変化する。この場合は、外側領域に存在する原稿ガイド６１の位置を、オン／オフ信号のパターンの違いにより、４つ識別できることになる。ここでは、説明の便宜上、オン／オフ信号のパターンの違いにより、外側領域を１番、２番、３番、４番で区別される４つの位置に細分化している。
【００９９】
また、奥側ガイド６１が中間領域に存在する場合は、当該中間領域内で奥側ガイド６１が移動したときに、各々の検知センサ５４−１、５４−２、５４−３から出力されるオン／オフ信号が、上記図７（Ａ）〜（Ｄ）および図９に示すように、４つの異なるパターンで変化する。この場合は、中間領域に存在する原稿ガイド６１の位置を、オン／オフ信号のパターンの違いにより、４つ識別できることになる。ここでは、説明の便宜上、オン／オフ信号のパターンの違いにより、中間領域を５番、６番、７番、８番で区別される４つの位置に細分化している。
【０１００】
また、奥側ガイド６１が内側領域に存在する場合は、当該内側領域内で奥側ガイド６１が移動したときに、各々の検知センサ５４−１、５４−２、５４−３から出力されるオン／オフ信号が、上記図８（Ａ）〜（Ｄ）および図９に示すように、４つの異なるパターンで変化する。この場合は、内側領域に存在する原稿ガイド６１の位置を、オン／オフ信号のパターンの違いにより、４つ識別できることになる。ここでは、説明の便宜上、オン／オフ信号のパターンの違いにより、内側領域を９番、１０番、１１番、１２番で区別される４つの位置に細分化している。
【０１０１】
ここで、奥側ガイド６１が外側領域に存在するときに検知センサ５４−１が出力する検知信号の出力形態と、奥側ガイド６１が内側領域に存在するときに検知センサ５４−１が出力する検知信号の出力形態とは、同じ出力形態となっている。すなわち、奥側ガイド６１が外側領域に存在するときに検知センサ５４−１が出力する検知信号はオフ信号となっており、奥側ガイド６１が内側領域に存在するときに検知センサ５４−１が出力する検知信号もオフ信号となっている。
【０１０２】
また、奥側ガイド６１が外側領域又は内側領域に存在するときに検知センサ５４−１が出力する検知信号の出力形態と、奥側ガイド６１が中間領域に存在するときに検知センサ５４−１が出力する検知信号の出力形態とは、異なる出力形態となっている。すなわち、奥側ガイド６１が外側領域又は内側領域に存在するときに検知センサ５４−１が出力する検知信号はオフ信号となっており、奥側ガイド６１が中間領域に存在するときに検知センサ５４−１が出力する検知信号はオン信号となっている。
【０１０３】
また、奥側ガイド６１が外側領域と中間領域の境界部に位置するときに検知センサ５４−２が出力する検知信号の出力形態と、奥側ガイド６１が中間領域と内側領域の境界部に位置するときに検知センサ５４−２が出力する検知信号の出力形態とは、異なる出力形態となっている。すなわち、奥側ガイド６１が外側領域と中間領域の境界部に位置するときに検知センサ５４−２が出力する検知信号はオン信号となっており、奥側ガイド６１が中間領域と内側領域の境界部に位置するときに検知センサ５４−２が出力する検知信号はオフ信号となっている。
【０１０４】
また、奥側ガイド６１が外側領域に存在するときに３つの検知センサ５４−１、５４−２、５４−３から出力される検知信号のオンオフのパターンと、奥側ガイド６１が内側領域に存在するときに３つの検知センサ５４−１、５４−２、５４−３から出力される検知信号のオンオフのパターンとは、同じパターンとなっている。
【０１０５】
また、奥側ガイド６１が外側領域又は内側領域に存在するときに３つの検知センサ５４−１、５４−２、５４−３から出力される検知信号のオンオフのパターンと、奥側ガイド６１が中間領域に存在するときに３つの検知センサ５４−１、５４−２、５４−３から出力される検知信号のオンオフのパターンとは、異なるパターンとなっている。
【０１０６】
以上のことから、検知センサ５４−１、５４−２、５４−３から出力される検知信号のオンオフのパターンの違いをみれば、奥側ガイド６１が中間領域に存在するのか中間領域以外の領域（外側領域、内側領域）に存在するのかを特定することができる。さらに、奥側ガイド６１が中間領域に存在する場合は、当該中間領域内で奥側ガイド６１の位置を識別することができる。ただし、奥側ガイド６１が中間領域以外の領域に存在する場合は、検知センサ５４−１、５４−２、５４−３から出力される検知信号のオンオフのパターンだけでは、奥側ガイド６１が外側領域に存在するのか内側領域に存在するのかを特定することはできない。この点に関しての特定方法については後段で説明する。
【０１０７】
なお、３つの検知センサ５４−１、５４−２、５４−３から出力される検知信号のオンオフの状態に関しては、少なくとも１つの検知センサが出力する検知信号のオンオフの状態が反転していてもかまわない。例えば、図示はしないが、検知センサ５４−１が出力する検知信号に関しては、奥側ガイド６１が外側領域又は内側領域に存在するときにオン信号、奥側ガイド６１が中間領域に存在するときにオフ信号となっていてもよい。
【０１０８】
また、上記図９において、奥側ガイド６１が外側領域又は内側領域に存在するときに３つの検知センサ５４−１、５４−２、５４−３から出力される検知信号のオンオフのパターンと、奥側ガイド６１が中間領域に存在するときに３つの検知センサ５４−１、５４−２、５４−３から出力される検知信号のオンオフのパターンとを、相互に入れ替えた形態を採用してもよい。すなわち、奥側ガイド６１が外側領域又は内側領域に存在するときに３つの検知センサ５４−１、５４−２、５４−３から出力される検知信号のオンオフのパターンを、奥側ガイド６１が中間領域に存在するときに３つの検知センサ５４−１、５４−２、５４−３から出力される検知信号のオンオフのパターンとし、奥側ガイド６１が中間領域に存在するときに３つの検知センサ５４−１、５４−２、５４−３から出力される検知信号のオンオフのパターンを、奥側ガイド６１が外側領域又は内側領域に存在するときに３つの検知センサ５４−１、５４−２、５４−３から出力される検知信号のオンオフのパターンとしてもよい。
【０１０９】
本実施の形態では、図２に示すように、第１搬送路３１におけるフィードロール１４の下流側の近傍に、搬送部３７により原稿トレイ１１から１枚ずつ分離して搬送された原稿の原稿幅を検知する原稿幅検知センサ６６が設けられている。
【０１１０】
原稿幅検知センサ６６は、例えば、複数（図例では４つ）の反射型の光センサを用いて構成されている。原稿幅検知センサ６６は、原稿トレイ１１に置かれると予想される原稿の原稿幅の検知を考慮して、各センサの配置間隔が決定されている。
【０１１１】
例えば、原稿幅方向（主走査方向）でセンター振り分けの基準となる中心位置に近い側（内側）の検知センサ６６から数えて、１つ目、２つ目、３つ目、４つ目と区別すると、Ａ５サイズの短手寸法（１８２ｍｍ）に相当する原稿幅の原稿を搬送した場合は、１つ目の検知センサ６６だけがオン状態となり、Ａ４サイズの短手寸法（２１０ｍｍ）に相当する原稿幅の原稿を搬送した場合は、２つ目までの検知センサ６６がオン状態となり、Ｂ４サイズの短手寸法（２５７ｍｍ）に相当する原稿幅の原稿を搬送した場合は、３つ目までの検知センサ６６がオン状態となり、Ａ３サイズの短手寸法（２９７ｍｍ）に相当する原稿幅の原稿を搬送した場合は、４つの検知センサ６６がすべてオン状態となる条件を満たす位置関係で、各々の検知センサ６６が原稿幅方向に位置をずらして配置されている。
【０１１２】
なお、図２に示す構成例では、異なるサイズの原稿Ｇ１、Ｇ２を原稿トレイ１１に混載するにあたって、各々の原稿Ｇ１、Ｇ２の奥側の側端を奥側ガイド６１に突き当てて当該原稿Ｇ１、Ｇ２の奥側の側端位置を揃えることを前提に、原稿幅検知センサ６６を手前側ガイド６２寄りに配置しているが、これに限らない。例えば、図示はしないが、各々の原稿の手前側の側端を手前側ガイド６２に突き当てて当該原稿の手前側の側端位置を揃えることを前提に、原稿幅検知センサ６６を奥側ガイド６１寄りに配置してもよい。
【０１１３】
また、本実施の形態では、図４に示すように、原稿トレイ１１に置かれた原稿の原稿長を検知する原稿長検知手段の一例としての原稿長検知センサ５６が設けられている。原稿長検知センサ５６は、原稿トレイ１１上で、当該原稿トレイ１１に置かれた原稿の原稿長を検知するものである。原稿トレイ１１には、原稿のサイズの違いにかかわらず、すべての原稿が、原稿の先端位置を揃えた状態で置かれる。このため、原稿の後端位置は、原稿トレイ１１に置かれた原稿の原稿長に依存したものとなる。即ち、原稿長が長い原稿と原稿長が短い原稿を比較すると、原稿長が長い原稿の後端位置は、原稿長が短い原稿の後端位置よりも、繰り出しロール１３から離れたところに位置するものとなる。
【０１１４】
原稿長検知センサ５６は、例えば、複数（図例では４つ）の反射型の光センサを用いて構成されている。原稿長検知センサ５６は、原稿トレイ１１に置かれると予想される原稿の原稿長の検知を考慮して、各センサの配置間隔が決定されている。
【０１１５】
例えば、原稿長方向で繰り出しロール１３に近い側の検知センサ５６から数えて、１つ目、２つ目、３つ目、４つ目と区別すると、Ａ５サイズの短手寸法（１８２ｍｍ）に相当する原稿長の原稿を原稿トレイ１１に置いた場合は、１つ目の検知センサ５６だけがオン状態となり、Ａ４サイズの短手寸法（２１０ｍｍ）に相当する原稿長の原稿を原稿トレイ１１に置いた場合は、２つ目までの検知センサ５６がオン状態となり、Ｂ４サイズの短手寸法（２５７ｍｍ）に相当する原稿長の原稿を原稿トレイ１１に置いた場合は、３つ目までの検知センサ５６がオン状態となり、Ａ３サイズの短手寸法（２９７ｍｍ）に相当する原稿長の原稿を原稿トレイ１１に置いた場合は、４つの検知センサ５６がすべてオン状態となる条件を満たす位置関係で、各々の検知センサ５６が原稿長方向に位置をずらして配置されている。
【０１１６】
原稿トレイ１１にサイズの異なる原稿を置いた場合は、原稿長検知センサ５６を構成する複数の光センサのうち、オン状態となる光センサの個数は、原稿長が最大の原稿のサイズによって決まる。このため、原稿トレイ１１上で原稿長検知センサ５６を用いて検知される原稿の原稿長は、原稿トレイ１１に置かれた原稿のうち、原稿長が最大となる原稿の原稿長（以下、「最大原稿長」）に対応したものとなる。
【０１１７】
原稿検知センサ６８、６９は、第１搬送路３１の途中に設けられている。原稿検知センサ６８は、原稿の搬送方向において、送り出しロール対１４、１５よりも下流側で、かつテイクアウェイロール１６よりも上流側に配置されている。原稿検知センサ６９は、原稿の搬送方向において、プレレジロール１７よりも下流側で、かつレジロール１８よりも上流側に配置されている。原稿検知センサ６８、６９は、それぞれのセンサ位置で、搬送部３７により原稿トレイ１１から１枚ずつ分離して搬送される原稿の先端および後端の通過を検知する。原稿検知センサ６８、６９は、例えば反射型の光センサを用いて構成されている。
【０１１８】
前述した検知センサ５４、原稿幅検知センサ６６、原稿長検知センサ５６および原稿検知センサ６８、６９は、それぞれ制御部９０に電気的に接続されている。そして、検知センサ５４、原稿幅検知センサ６６、原稿長検知センサ５６および原稿検知センサ６８、６９の各検知信号は、それぞれ個別に制御部９０に取り込まれるようになっている。
【０１１９】
制御部９０は、例えば、ＣＰＵ（中央演算処理装置）、ＲＯＭ(Read-Only Memory)、ＲＡＭ(Random Access Memory)等のコンピュータのハードウェア資源を用いて構成される。制御部９０は、例えば、上記のＲＯＭに格納された制御用のプログラムをＲＡＭに読み出して実行することにより、画像読取装置１０を含む画像形成装置１００全体の動作を制御する。このため、搬送部３７の各種ロールの動作やゲートの切り替え動作等は、制御部９０によって制御される。
【０１２０】
また、制御部９０は、検知センサ５４（５４−１、５４−２、５４−３）から出力される検知信号に基づいて、奥側ガイド６１の位置を識別する識別手段としての機能をもつ。そして、制御部９０は、検知センサ５４、原稿幅検知センサ６６、原稿長検知センサ５６および原稿検知センサ６８、６９から出力される各々の検知信号に基づいて、原稿のサイズ（原稿幅および原稿長）を特定する。
【０１２１】
制御部９０が特定した原稿のサイズは、画像形成装置１００の画像形成動作に適用する画像形成条件、例えば、画像読取装置１０で原稿の画像を読み取るときの読み取り範囲や、コピー処理に適用するコピー倍率、コピー処理に使用する記録媒体Ｐのサイズなど、を決定するために利用される。
【０１２２】
ここで、本実施の形態に係る画像読取装置１０は、異なるサイズの原稿の搬送を許容する搬送モード（以下、「混載モード」）と、異なるサイズの原稿の搬送を許容しない（換言すると、同一サイズの原稿のみの搬送を許容する）搬送モード（以下、「通常モード」）を有している。
【０１２３】
本実施の形態では、混載モードにおいて、異なるサイズの原稿を同時に重ねて原稿トレイ１１の上に置き、その原稿束から原稿を１枚ずつ搬送し、その原稿の画像を読み取るようになっている。
【０１２４】
混載モードは、操作パネル５８を通じて使用者が選択することで設定される。混載モードが選択されると、制御部９０が混載モードに基づく処理を行う。
【０１２５】
＜画像読取処理＞
図１０は本発明の実施の形態に係る画像読取装置の処理手順の一例を示すフローチャートである。ここでは、原稿トレイ１１に置かれた原稿の画像を読み取る場合の処理手順について説明する。
【０１２６】
まず、制御部９０は、操作パネル５８に設けられたスタートボタンが押下されたかどうかを判断する（ステップＳ１）。スタートボタンは、例えば、コピーなどの処理の開始を指示するときに使用者によって押下操作されるものである。制御部９０は、スタートボタンが押下されたと判断すると、原稿ガイド６１、６２の位置から原稿幅を検知する（ステップＳ２）。原稿ガイド６１、６２の位置から、どのようにして原稿幅を検知するかについては、後段で詳しく説明する。
【０１２７】
次に、制御部９０は、原稿長検知センサ５６を用いて原稿長を検知する（ステップＳ３）。なお、ステップＳ２の処理とステップＳ３の処理は、どちらを先に行なってもよい。
【０１２８】
次に、制御部９０は、搬送部３７を駆動して原稿の搬送を開始する（ステップＳ４）。これにより、原稿トレイ１１に置かれた原稿のうち、最上位の原稿が繰り出しロール１３の回転によって繰り出されるとともに、繰り出された原稿が送り出しロール対１４、１５の回転によって１枚ずつ分離された状態で送り出される。
【０１２９】
次に、制御部９０は、第１搬送路３１上で原稿幅検知センサ６６を用いて原稿幅を検知する（ステップＳ５）。原稿幅検知センサ６６は、送り出しロール対１４，１５よりも搬送方向の下流側に配置されている。このため、第２原稿幅検知センサ６６が検知する原稿幅は、送り出しロール対１４、１５によって１枚ずつ分離して送り出された原稿の原稿幅に対応したものとなる。
【０１３０】
次に、制御部９０は、上記ステップＳ２で検知した原稿幅と、上記ステップＳ５で検知した原稿幅とが、整合（一致）するかどうかを判断する（ステップＳ６）。そして、原稿幅が整合すると判断した場合は、原稿が第２プラテンガラス７２Ｂ上を通過するときに、当該原稿の画像を読取部７０で読み取るように制御する（ステップＳ３）。
【０１３１】
これに対して、上記ステップＳ６で原稿幅が整合しないと判断した場合は、制御部９０は、原稿ガイド６１、６２を一旦外側に広げてから、原稿幅に合わせて原稿ガイド６１、６２の位置を調整するように指示する操作指示画面を、操作パネル５８の表示パネル５９に表示するように制御する（ステップＳ８）。この場合は、原稿が第２プラテンガラス７２Ｂ上を通過するときに、読取部７０で原稿の画像を読み取ることなく、原稿が搬送される。
【０１３２】
その後、制御部９０は、第２プラテンガラス７２Ｂ上を通過した原稿を、切り替えゲート４２により第２搬送路３２に送り込んだ後、第１排出ロール２１の回転によって排出トレイ４０上に原稿を排出する（ステップＳ９）。
【０１３３】
なお、原稿の両面の画像を読み取る場合は、第２プラテンガラス７２Ｂ上を通過した原稿を、切り替えゲート４２によって第１搬送路３１から第３搬送路３３へと送り込んだ後、第３搬送路３３から第４搬送路３４へと送り込む。
【０１３４】
次に、第４搬送路３４でインバータロール２２およびインバータピンチロール２３により原稿をスイッチバックさせた後、切り替えゲート４３によって第４搬送路３４から第５搬送路３５へと原稿を送り込む。こうして第５搬送路３５へと送り込まれた原稿は、プレレジロール１７の手前（上流側）で第１搬送路３１に合流する。
【０１３５】
その後、第１搬送路３１に沿って搬送される原稿の画像を上記同様に読み取る。次に、第２プラテンガラス７２Ｂ上を通過した原稿を、切り替えゲート４２によって第１搬送路３１から第３搬送路３３へと送り込んだ後、第３搬送路３３から第４搬送路３４へと送り込む。
【０１３６】
次に、第４搬送路３４でインバータロール２２およびインバータピンチロール２３により原稿をスイッチバックさせた後、切り替えゲート４３によって第４搬送路３４から第６搬送路３６へと原稿を送り込む。
【０１３７】
次に、第６搬送路３６上で原稿を第２排出ロール２４により第１排出ロール２１に向けて搬送する。次に、第１排出ロール２１によって原稿を排出トレイ４１に排出する。
【０１３８】
＜原稿ガイドの位置検知処理＞
図１１は本発明の実施の形態に係る画像読取装置において、当該装置の電源投入時に原稿ガイドの位置検知のために行なわれる処理手順の一例を示すフローチャートである。ここでは、原稿ガイドの位置の検知を上述した３個の検知センサ５４−１、５４−２、５４−３を用いて行なう。また、原稿ガイドの位置を検知するにあたっては、図１２に示す対応表を用いる。
【０１３９】
図１２は検知信号のオンオフのパターンと原稿ガイドの位置と原稿幅との対応関係を示す対応表の一例を示す図である。この対応表のデータは、例えば、予め制御用データの１つとして上記のＲＯＭに格納され、そこからＣＰＵがＲＡＭに読み出して参照する。
【０１４０】
原稿幅は、原稿ガイド６１の位置によって、１２種類に分けられている。原稿幅の種類を列挙すると、「Ａ３−Ｓ（２９７ｍｍ）相当」、「Ｂ６−Ｓ（１２８ｍｍ）相当」、「１１″（２７９ｍｍ）相当」、「Ａ６−Ｓ（１０５ｍｍ）相当」、「８Ｋ−Ｓ（２７０ｍｍ）相当」、「ハガキ−Ｓ（１００ｍｍ）相当」、「Ｂ４−Ｓ（２５７ｍｍ）相当」、「名刺−Ｌ（９１ｍｍ）相当」、「８．５″（２１５ｍｍ）相当」、「Ａ４−Ｓ（２１０ｍｍ）相当」、「Ｂ５−Ｓ（１８２ｍｍ）相当」、「Ａ５−Ｓ（１４８ｍｍ）相当」となる。添え字の「−Ｓ」は短手サイズを意味し、添え字の「−Ｌ」は長手サイズを意味する。
【０１４１】
まず、画像読取装置１０を含む画像形成装置１００の電源が投入されると、制御部９０は、検知センサ５４−１から出力される検知信号がオフ信号かどうかを確認する（ステップＳ１１）。そして、検知センサ５４−１の検知信号がオフ信号であれば、ステップＳ１２に進み、オフ信号でなければ（オン信号であれば）、ステップＳ１５に移行する。
【０１４２】
ステップＳ１２においては、制御部９０は、原稿ガイド（奥側ガイド）６１が外側領域に存在すると仮定する。原稿ガイド６１が外側領域および内側領域のいずれに存在するかは、例えば、領域判別用のフラグを設定して判別すればよい。
【０１４３】
領域判別用のフラグは、原稿ガイド６１が外側領域に存在するのか内側領域に存在するのかを判別するために用いるフラグであり、例えば、「１」又は「０」の値をとる。ここでは一例として、原稿ガイド６１が外側領域に存在すると認識する場合にフラグ＝１に設定し、原稿ガイド６１が内側領域に存在すると認識する場合にフラグ＝０に設定するものとしている。
【０１４４】
次に、制御部９０は、上記の仮定（フラグ＝１の設定）に基づいて、原稿ガイド６１の位置を識別する（ステップＳ１３）。すなわち、制御部９０は、原稿ガイド（奥側ガイド）６１が外側領域に存在すると仮定して、当該外側領域内で原稿ガイド６１の位置を識別する。具体的には、３個の検知センサ５４−１、５４−２、５４−３から出力される検知信号のオンオフのパターンから、上記図１２に示す対応表を参照して原稿ガイド６１の位置を識別する。
【０１４５】
すなわち、検知５４−１、５４−２、５４−３から出力される検知信号がすべてオフ信号であれば、外側領域の１番の位置が原稿ガイド６１の位置であると識別する。また、検知センサ５４−１、５４−２から出力される検知信号がオフ信号で、検知センサ５４−３から出力される検知信号がオン信号であれば、外側領域の２番の位置が原稿ガイド６１の位置であると識別する。
【０１４６】
また、検知センサ５４−１から出力される検知信号がオフ信号で、検知センサ５４−２、５４−３から出力される検知信号がオン信号であれば、外側領域の３番の位置が原稿ガイド６１の位置であると識別する。また、検知センサ５４−１、５４−３から出力される検知信号がオフ信号で、検知センサ５４−２から出力される検知信号がオン信号であれば、外側領域の４番の位置が原稿ガイド６１の位置であると識別する。
【０１４７】
次に、制御部９０は、検知センサ５４−１から出力される検知信号がオフ信号からオン信号に変化したかどうかを確認する（ステップＳ１４）。そして、検知センサ５４−１の検知信号がオン信号からオン信号に切り替わると、制御部９０は、原稿ガイド６１が外側領域から中間領域に移動したと判断し、この判断にしたがって原稿ガイド６１が中間領域に存在すると特定する（ステップＳ１５）。ここでの判断の根拠は、装置の電源が投入されたときに、原稿ガイド６１が外側領域および内側領域のどちらの領域に存在していても、その領域から中間領域へと原稿ガイド６１が移動したときに、検知センサ５４から出力される検知信号がオフ信号からオン信号に変化するためである。
【０１４８】
次に、制御部９０は、上記ステップＳ１５で特定した中間領域内で原稿ガイド６１の位置を識別する（ステップＳ１６）。具体的には、３個の検知センサ５４−１、５４−２、５４−３から出力される検知信号のオンオフのパターンから、上記図１２に示す対応表を参照して原稿ガイド６１の位置を識別する。
【０１４９】
すなわち、検知センサ５４−１、５４−２から出力される検知信号がオン信号で、検知センサ５４−３から出力される検知信号がオフ信号であれば、中間領域の５番の位置が原稿ガイド６１の位置であると識別する。また、検知センサ５４−１、５４−２、５４−３から出力される検知信号がすべてオン信号であれば、中間領域の６番の位置が原稿ガイド６１の位置であると識別する。
【０１５０】
また、検知センサ５４−１、５４−３から出力される検知信号がオン信号で、検知センサ５４−２から出力される検知信号がオフ信号であれば、中間領域の７番の位置が原稿ガイド６１の位置であると識別する。また、検知センサ５４−１から出力される検知信号がオン信号で、検知センサ５４−２、５４−３から出力される検知信号がオフ信号であれば、中間領域の８番の位置が原稿ガイド６１の位置であると識別する。
【０１５１】
次に、制御部９０は、検知センサ５４−１から出力される検知信号がオン信号からオフ信号に変化したかどうかを確認する（ステップＳ１７）。そして、検知センサ５４−１の検知信号がオン信号からオフ信号に切り替わると、制御部９０は、その切り替わりタイミングで検知センサ５４−２から出力されている検知信号がオン信号であるかどうかを確認する（ステップＳ１８）。
【０１５２】
そして、検知センサ５４−１の検知信号がオフ信号に変化したときに、検知センサ５４−２の検知信号がオン信号であれば、原稿ガイド６１が外側領域に存在すると特定し、これにしたがって領域判別用のフラグを「１」に設定する（ステップＳ１９）。また、検知センサ５４−１の検知信号がオフ信号に変化したときに、検知センサ５４−２の検知信号がオン信号でなければ（オフ信号であれば）、原稿ガイド６１が内側領域に存在すると特定し、これにしたがって領域判別用のフラグを「０」に設定する（ステップＳ２０）。
【０１５３】
次に、制御部９０は、上記ステップＳ１９で特定した外側領域、又は上記ステップＳ２０で特定した内側領域で、原稿ガイド６１の位置を識別する（ステップＳ２１）。すなわち、領域判別用のフラグが「１」に設定されている場合は、原稿ガイド６１が外側領域に存在するものとして、当該外側領域内で原稿ガイド６１の位置を識別する。また、領域判別用のフラグが「０」に設定されている場合は、原稿ガイド６１が内側領域に存在するものとして、当該内領域内で原稿ガイド６１の位置を識別する。その後は、上記ステップＳ１４に戻る。外側領域で原稿ガイド６１の位置を識別する方式は、上記ステップＳ１３と同様であるため、説明を省略する。
【０１５４】
内側領域で原稿ガイド６１の位置を識別する場合は、３個の検知センサ５４−１、５４−２、５４−３から出力される検知信号のオンオフのパターンから、上記図１２に示す対応表を参照して原稿ガイド６１の位置を識別する。
【０１５５】
すなわち、検知センサ５４−１、５４−２、５４−３から出力される検知信号がすべてオフ信号であれば、内側領域の９番の位置が原稿ガイド６１の位置であると識別する。また、検知センサ５４−１、５４−２から出力される検知信号がオフ信号で、検知センサ５４−３から出力される検知信号がオン信号であれば、内側領域の１０番の位置が原稿ガイド６１の位置であると識別する。
【０１５６】
また、検知センサ５４−１から出力される検知信号がオフ信号で、検知センサ５４−２、５４−３から出力される検知信号がオン信号であれば、内側領域の１１番の位置が原稿ガイド６１の位置であると識別する。また、検知センサ５４−１、５４−３から出力される検知信号がオフ信号で、検知センサ５４−２から出力される検知信号がオン信号であれば、内側領域の１２番の位置が原稿ガイド６１の位置であると識別する。
【０１５７】
以上述べた原稿ガイドの位置検知処理においては、３個の検知センサ５４−１、５４−２、５４−３を用いて、原稿ガイド６１の位置を、２3個よりも多い１２個識別できることになる。
【０１５８】
制御部９０による原稿ガイド６１の位置の監視は、装置の電源が投入されてから、又は電源投入後の待機状態から、上記のスターボタンが押下されるまでの間、予め設定された時間間隔、例えば、１０ｍ秒間隔で繰り返し行なわれる。そして、スタートボタンが押下された段階で、そのときに識別している原稿ガイドの位置から、上記図１２に示す対応表に基づいて原稿幅を検知する。
【０１５９】
すなわち、制御部９０は、スタートボタンが押下されたときに、例えば、原稿ガイド６１が中間領域に存在し、かつ当該原稿ガイド６１の位置が中間領域の６番の位置であると識別した場合は、当該原稿ガイド６１の位置から原稿幅＝「Ａ４−Ｓ相当」と検知する。また、制御部９０は、スタートボタンが押下されたときに、例えば、原稿ガイド６１が外側領域に存在し、かつ当該原稿ガイド６１の位置が外側領域の４番の位置であると識別した場合は、当該原稿ガイド６１の位置から原稿幅＝「Ｂ４−Ｓ相当」と検知する。また、制御部９０は、スタートボタンが押下されたときに、例えば、原稿ガイド６１が内側領域に存在し、かつ当該原稿ガイド６１の位置が内側領域の１０番の位置であると識別した場合は、当該原稿ガイド６１の位置から原稿幅＝「Ａ６−Ｓ相当」と検知する。
【０１６０】
本発明は、原稿搬送装置やこれを備える画像読取装置および画像形成装置に限らず、移動体の位置を検出する「移動体の位置検出装置」として広く適用可能である。
【符号の説明】
【０１６１】
１１…原稿トレイ、５２…作動部材、５３…開口、５４…検知センサ、６１，６２…原稿ガイド、９０…制御部
【図１】
2011055324.tif 000003
【図２】
2011055324.tif 000004
【図３】
2011055324.tif 000005
【図４】
2011055324.tif 000006
【図５】
2011055324.tif 000007
【図６】
2011055324.tif 000008
【図７】
2011055324.tif 000009
【図８】
2011055324.tif 000010
【図９】
2011055324.tif 000011
【図１０】
2011055324.tif 000012
【図１１】
2011055324.tif 000013
【図１２】
2011055324.tif 000014